(57)【要約】【課題】テーパ状の側壁部を有する構成であって、比較的容易に持ち運びすることができる紙製容器を提供する。【解決手段】底板部１１とテーパ状の側壁部１２とを備えた浅底でトレー状の紙製容器１であって、該側壁部１２の上端周縁に取り付けられる取付部１６と、該取付部１６から下方へ延出されて、該側壁部１２との間に隙間を形成する外周帯部１９とを有する外装部材３を備えたものである。かかる構成によれば、外周帯部１９の下端を支持し易いことから、持ち運び易く、持ち上げる際や下ろして置く際に誤って落下させてしまうことを抑制できる。【選択図】図２
0003232966.tif 000002
【実用新案登録請求の範囲】
【請求項１】
底板部と、該底板部の外周縁から立ち上がる側壁部とを備え、該底板部に比して拡口された上部開口を有する紙製容器であって、
前記側壁部の上端周縁に取り付けられる取付部と、
前記取付部から下方へ延出され、該取付部が前記側壁部の上端周縁に取り付けられた状態で、少なくとも該側壁部の上部を周方向に亘って外側から覆うように配設されて、該側壁部との間に隙間を形成する略筒状の外周帯部と
を有する外装部材を備えたものであることを特徴とする紙製容器。
【請求項２】
外装部材の取付部が側壁部の上端周縁に取り付けられた状態で、該外装部材の外周帯部が該側壁部の上部を覆って配設されて、該側壁部の上部を除く部位が露出されていることを特徴とする請求項１に記載の紙製容器。
【請求項３】
外装部材の取付部は、外周帯部の上端周縁に連成された連成周部と、該連成周部から内側へ湾曲状に折り返された折返周部とを備え、
前記連成周部と折返周部との間に、側壁部の上端周縁が嵌入されることによって、前記外装部材が該側壁部に取り付けられるものであることを特徴とする請求項１又は請求項２に記載の紙製容器。
【請求項４】
外装部材の取付部が、側壁部の上端周縁と接着されていることを特徴とする請求項１乃至請求項３のいずれか１項に記載の紙製容器。
【請求項５】
請求項１乃至請求項４のいずれか１項に記載の紙製容器と、
天板部と、該天板部の外周縁から下方へ垂設された周壁部とを有し、該周壁部が前記紙製容器を構成する外装部材の外周帯部に外嵌されることによって、該紙製容器の上部開口を閉鎖する紙製蓋体と
を備え、
前記外装部材の外周帯部は、前記紙製蓋体の周壁部と略平行に設けられ、かつ該周壁部が外嵌された被着状態で、該外周帯部の少なくとも下端部が露出するように設けられたものであることを特徴とする紙製容器ユニット。
【請求項６】
底板部と、該底板部の外周縁から立ち上がる側壁部とを備え、該側壁部の上部において上部開口を有する紙製容器と、
上部から下部へ向かって裾広がり状に形成された周壁部を備え、前記紙製容器に被着されることによって、該紙製容器の上部開口を閉鎖する紙製蓋体と
を有する紙製容器ユニットであって、
前記紙製蓋体は、
前記周壁部の下端周縁に取り付けられる取付部と、
前記取付部から上方へ延出され、該取付部が前記周壁部の下端周縁に取り付けられた状態で、少なくとも該周壁部の下部を周方向に亘って外側から覆うように配設されて、該周壁部との間に隙間を形成する略筒状の外周帯部と
を有する外装部材を備え、
該外装部材の外周帯部が前記紙製容器の側壁部に内嵌されることによって、該紙製容器に被着されるものであり、
さらに、前記外装部材の外周帯部は、前記紙製容器の側壁部と略平行に設けられ、かつ該側壁部に内嵌された被着状態で、該外周帯部の少なくとも上端部が露出するように設けられたものであることを特徴とする紙製容器ユニット。
【考案の詳細な説明】
【技術分野】
【０００１】
本考案は、上部開口を有する紙製容器、および該紙製容器とその上部開口を閉鎖する紙製蓋体とを備えた紙製容器ユニットに関する。
【背景技術】
【０００２】
食料品や雑貨などの収納物を収納する容器としては、例えば特許文献１，２に示す紙製のものが提案されている。かかる紙製容器は、前記収納物が載置される底板部と、該底板部の外周縁から立設されて、該底板部に比して拡口された上部開口を形成するテーパ状の側壁部とを備えたものであり、前記収納物を入出し易いという利点がある。
【先行技術文献】
【特許文献】
【０００３】
【特許文献１】実用新案登録第３０５５０４４号公報
【特許文献２】実用新案登録第３１１４３４６号公報
【考案の概要】
【考案が解決しようとする課題】
【０００４】
ところが、例えば前述した浅底の容器やトレー（紙製容器）にあっては、側壁部がテーパ状であり、しかも剛性が低いことから、収容物を収容した状態で人が持ち運ぶ場合に持ち難いという問題があった。特に人が持ち上げる際や下ろして置く際には、テーパ状の側壁部を持たねばならないため、一層ゆがんで持ち難く、誤って手を滑らせて内容物や容器自体を落としてしまう虞もあった。
【０００５】
本考案は、剛性が向上し、人が運搬する際に持ち易く、誤って落下させてしまうことを抑制し得る紙製容器と紙製容器ユニットとを提案するものである。
【課題を解決するための手段】
【０００６】
本考案は、底板部と、該底板部の外周縁から立ち上がる側壁部とを備え、該底板部に比して拡口された上部開口を有する紙製容器であって、前記側壁部の上端周縁に取り付けられる取付部と、前記取付部から下方へ延出され、該取付部が前記側壁部の上端周縁に取り付けられた状態で、少なくとも該側壁部の上部を周方向に亘って外側から覆うように配設されて、該側壁部との間に隙間を形成する略筒状の外周帯部とを有する外装部材を備えたものであることを特徴とする紙製容器である。
【０００７】
かかる構成にあっては、側壁部と外装部材の外周帯部との間に隙間を有していることから、人が持ち運ぶ際に、該人の手（指）によって該外周帯部の下端を支持し易い。これにより、人が持ち上げる際や下ろして置く際に持ち易く、誤って落下させてしまうことを抑制することができる。
さらに、本考案は、側壁部の上端周縁に外装部材の取付部が取り付けられる構成であることから、該側壁部の上部における剛性を向上できる。そのため、収容物を収容された状態で持ち運ぶ際に、紙製容器としての形態を安定して保つことができるため、前述した持ち運び易いという本考案の作用効果が一層向上する。また、外周帯部は、紙製容器の側壁部に対して手前側に位置し、例えば垂直に垂れ下がる形状とすることができるため、視認性が良いことから模様や図柄などを配した意匠面として大いに機能する利点もある。
【０００８】
前述した本考案の紙製容器であって、外装部材の取付部が側壁部の上端周縁に取り付けられた状態で、該外装部材の外周帯部が該側壁部の上部を覆って配設されて、該側壁部の上部を除く部位が露出されている構成が提案される。
【０００９】
かかる構成にあっては、人が持ち上げる際や下ろして置く際に、外周帯部の下端に人の手（指）を引っ掛けて作業できることから、一層持ち易い。さらに、本構成は、側壁部の上部を除く部位が露出することから、かかる該露出部位にも意匠を施すことが可能となる。
【００１０】
前述した本考案の紙製容器であって、外装部材の取付部は、外周帯部の上端周縁に連成された連成周部と、該連成周部から内側へ湾曲状に折り返された折返周部とを備え、前記連成周部と折返周部との間に、側壁部の上端周縁が嵌入されることによって、前記外装部材が該側壁部に取り付けられるものである構成が提案される。
【００１１】
かかる構成にあっては、外装部材が比較的しっかりと側壁部に取り付けられることから、持ち運びの際における安定性を向上することができ、人が一層持ち運び易くなる。さらに、本構成では、側壁部の上端周縁に取り付けられた取付部の折返周部の形状効果によって該側壁部の上部における剛性を一層向上できる。これにより、人により持ち運ぶ際に紙製容器としての形態を一層安定して保つことができる。
【００１２】
前述した本考案の紙製容器であって、外装部材の取付部が、側壁部の上端周縁と接着されている構成が提案される。
【００１３】
かかる構成にあっては、外装部材が側壁部に一体的に固定されることから、持ち運びの際における安定性を向上することができ、人が一層持ち運び易くなる。
【００１４】
また、本考案は、前述した紙製容器と、天板部と、該天板部の外周縁から下方へ垂設された周壁部とを有し、該周壁部が前記紙製容器を構成する外装部材の外周帯部に外嵌されることによって、該紙製容器の上部開口を閉鎖する紙製蓋体とを備え、前記外装部材の外周帯部は、前記紙製蓋体の周壁部と略平行に設けられ、かつ該周壁部が外嵌された被着状態で、該外周帯部の少なくとも下端部が露出するように設けられたものであることを特徴とする紙製容器ユニットである。
【００１５】
かかる構成にあっては、前述した本考案の紙製容器を備えた構成であることから、該紙製容器に紙製蓋体を被着した状態で、人が持ち運び易く、前述した該紙製容器と同様の作用効果を奏し得る。
【００１６】
さらに、本考案の紙製容器ユニットは、紙製蓋体が紙製容器に被着された状態で、該紙製蓋体の周壁部が該紙製容器の外周帯部に沿って嵌め合わさることから、該被着状態を保持するために該周壁部と外周帯部とがシールで貼着された場合に、該シールの貼着状態を安定して保つことができる。
詳述すると、外装部材を備えない従来の紙製容器に紙製蓋体を被着させる構成では、被着状態で該紙製蓋体の周壁部と該紙製容器の側壁部とに比較的大きな段差が生ずることから、シールが貼着された場合に、該シールの接着面に該周壁部と該側壁部とのいずれにも非接着の露出領域が比較的大きく生ずる。そのため、時間経過に伴って、この接着面の露出領域にゴミやほこりが付着して見栄えを損ねたり、シールの剥がれを引き起こしたりする場合があった。こうした問題に対して、本考案の構成は、該紙製蓋体の周壁部が該紙製容器の外周帯部に沿って嵌め合わさることから、シールにより貼着させた場合に、該シールの接着面に生ずる前記露出領域を抑制できる。そのため、本考案の構成は、ゴミがシールの接着面に付着して見栄えを損ねたり、シールの剥がれを引き起こしたりする等の前述した従来の問題の発生を抑制できる。したがって、本考案の構成によれば、シールにより貼着された前記被着状態を比較的長期に亘って安定して保つことができる。
【００１７】
さらにまた、本考案は、底板部と、該底板部の外周縁から立ち上がる側壁部とを備え、該側壁部の上部において上部開口を有する紙製容器と、上部から下部へ向かって裾広がり状に形成された周壁部を備え、前記紙製容器に被着されることによって、該紙製容器の上部開口を閉鎖する紙製蓋体とを有する紙製容器ユニットであって、前記紙製蓋体は、前記周壁部の下端周縁に取り付けられる取付部と、前記取付部から上方へ延出され、該取付部が前記周壁部の下端周縁に取り付けられた状態で、少なくとも該周壁部の下部を周方向に亘って外側から覆うように配設されて、該周壁部との間に隙間を形成する略筒状の外周帯部とを有する外装部材を備え、該外装部材の外周帯部が前記紙製容器の側壁部に内嵌されることによって、該紙製容器に被着されるものであり、さらに、前記外装部材の外周帯部は、前記紙製容器の側壁部と略平行に設けられ、かつ該側壁部に内嵌された被着状態で、該外周帯部の少なくとも上端部が露出するように設けられたものであることを特徴とする紙製容器ユニットである。
【００１８】
かかる構成にあっては、紙製蓋体の外装部材の外周帯部が紙製容器の側壁部に内嵌された被着状態で、該外周帯部が側壁部に沿って嵌め合わされるものであるから、該外周帯部と該側壁部とにシールが貼着された場合に、該シールの接着面に生ずる前記露出領域を抑制できる。そのため、本考案の構成は、ゴミがシールの接着面に付着して見栄えを損ねたり、シールの剥がれを引き起こしたりする等の前述した従来の問題の発生を抑制できる。したがって、本考案の構成によれば、シールにより貼着された前記被着状態を比較的長期に亘って安定して保つことができる。
【考案の効果】
【００１９】
本考案の紙製容器は、例えば浅底の容器やトレーであっても、人が持ち運ぶ際に、該人の手（指）によって該外周帯部の下端を支持し易いし、全体として剛性が向上することから、人が持ち上げる際や下ろして置く際に扱い易く、誤って内容物や紙製容器自体を落下させてしまうことを抑制できる。
【００２０】
本考案の紙製容器ユニットは、紙製蓋体と紙製容器との被着状態でシールが貼着された場合に、ゴミ等が該シールに付着することを抑制できるから、比較的長期に亘って優れた美観を保つことができる。さらに、前記シールの剥がれを抑制できるから、前記被着状態を比較的長期に亘って保つことができると共に、紙製蓋体が紙製容器から意図せずに外れてしまうことを抑制することができる。
【図面の簡単な説明】
【００２１】
【図１】実施例１の紙製容器１の斜視図である。
【図２】同上の紙製容器１の縦断面図である。
【図３】同上の紙製容器１の分解斜視図である。
【図４】外装部材３の、（Ａ）平面図と、（Ｂ）片側断面図である。
【図５】実施例１の紙製容器１を有する紙製容器ユニット７の斜視図である。
【図６】同上の紙製容器ユニット７の縦断面図である。
【図７】（Ａ）同上の紙製容器ユニット７におけるシール貼着部位を示す拡大断面図と、（Ｂ）従来構成におけるシール貼着部位を示す拡大断面図である。
【図８】（Ａ）実施例２の紙製容器３１の斜視図と、（Ｂ）紙片３３ａを示す説明図である。
【図９】実施例２の紙製容器３１を有する紙製容器ユニット３７の斜視図である。
【図１０】実施例３の紙製容器ユニット５７の斜視図である。
【図１１】（Ａ）実施例３の紙製蓋体５５の斜視図と、（Ｂ）紙製容器５１の斜視図である。
【図１２】実施例３の紙製容器ユニット５７の縦断面図である。
【考案を実施するための形態】
【００２２】
本考案の実施形態を、以下の実施例１〜３により説明する。尚、本考案は、以下の実施例１〜３に限定されることはなく、適宜設計変更が可能である。
【実施例１】
【００２３】
実施例１の紙製容器１は、図１〜３に示すように、いわゆるテーパ紙缶からなる逆截頭円錐形の容器本体２と該容器本体２の上部に一体的に取り付けられた外装部材３とから構成されている。そして、この紙製容器１と、該紙製容器１の上部開口１４を閉鎖する紙製蓋体５とによって、図５，６に示す紙製容器ユニット７が構成されている。本実施例の紙製容器１（容器本体２および外装部材２）と紙製蓋体５とは、一又は複数の紙により夫々成形することができ、従前から公知の技術により好適に成形される。
【００２４】
前記容器本体２は、図１〜３に示すように、円板状の底板部１１と、該底板部１１の外周縁から斜め外方に立設されたテーパ状の側壁部１２とを備え、該底板部１１よりも拡口された上部開口１４を有する。ここで、容器本体２の上部開口１４が紙製容器１の上部開口１４を構成する。尚、実施例１の容器本体２は、側壁部１２の上端から底板部１１までの深さが比較的浅いものである。
【００２５】
前記外装部材３は、図１〜４に示すように、前記側壁部１２の上端周縁に取り付けられる円環状の取付部１６と、該取付部１６から略鉛直下方へ延出された円筒状の外周帯部１９とから構成されている。外装部材３は、横長帯状の紙片を、上側の長辺縁を裏側に湾曲状に折り返して、表側が外側となるように湾曲させて両短辺同士を連結させることにより、筒状に組み立てられてなる。こうして組み立てられることで、上端周縁に、内側に湾曲状に折り返された部位が周方向に亘って連続形成され、当該部位からなる折返周部１７と、該折返周部１７の上端から連成されて該折返周部１７の外側に対向する連成周部１８とによって、前記取付部１６が構成される。そして、取付部１６の連成周部１８から下方へ延出された円筒状の部位によって、前記外周帯部１９が構成されている。ここで、外周帯部１９の縦幅は、前記した容器本体２の側壁部１２の高さ寸法よりも短く、さらに外装部材３が容器本体２に取り付けられた状態で、外周帯部１９の下縁と該容器本体２の下縁との間に人の指を差し込み可能な寸法に設定されている。
【００２６】
こうした外装部材３と容器本体２とは、図２に示すように、前記取付部１６の折返周部１７と連成周部１８との間に、前記側壁部１２の上端が嵌入されて、該側壁部１２と取付部１６とが所定の接着剤により接着されることで一体化される。これにより、本実施例１の紙製容器１が形成される。
【００２７】
また、前記紙製蓋体５は、図５，６に示すように、円板状の天板部２１と、該天板部２１の外周縁から略鉛直下方へ垂設された円筒状の周壁部２２とを備え、下方開口する構造である。そして、紙製蓋体５は、その周壁部２２が前記紙製容器１の外周帯部１９に外嵌されることによって、該紙製容器１の上部開口１４を閉鎖する。ここで、紙製蓋体５の周壁部２２と紙製容器１の外周帯部１９とは略平行に形成されると共に、該周壁部２２が外周帯部１９に外嵌された状態で該周壁部２２の内周面と外周帯部１９の外周面とが面接触するように、該周壁部２２の内径と外周帯部１９の外径とが設定されている。これにより、紙製蓋体５の周壁部２２を紙製容器１の外周帯部１９に外嵌させて該紙製容器１の上部開口１４を閉鎖した被着状態で、該周壁部２２の内周面が該外周帯部１９の外周面に当接されて、該周壁部２２と外周帯部１９とが重なり合った状態となる。さらに、前記被着状態で外周帯部１９の下部が周壁部２２に覆われない（嵌合されない）ように、該外周帯部１９と周壁部２２との上下方向の寸法が夫々設定されている。
【００２８】
こうした紙製容器ユニット７は、紙製容器１と紙製蓋体５との前記被着状態で、該紙製容器１の外周帯部１９と該紙製蓋体５の周壁部２２とに亘ってシール２５が貼着される。これにより、紙製蓋体５と紙製容器１とが前記被着状態で保持され得る。
【００２９】
前述した実施例１の紙製容器１は、テーパ状の側壁部１２の上部を覆うように外装部材３の外周帯部１９が接着されたものであるから、該外周帯部１９と側壁部１２との間に隙間が形成される（図２，６参照）。これにより、人が紙製容器１を持ち運ぶ際に、該人の指により外装部材３の下端縁をいわば手掛かりとして安定して支持できることから、容易に持ち運ぶことができる。また、紙製容器１は、上述のように、部分的に二重構造となることで当該紙製容器１自身の剛性が向上する。したがって、紙製容器１を持ち上げる際や下ろして置く際に持ち易く、誤って内容物や紙製容器１を落下させてしまうことを抑制できる。この作用効果は、紙製容器ユニット７にあっても同様に奏する。
【００３０】
また、実施例１の紙製容器ユニット７は、前記被着状態で紙製蓋体５の周壁部２２と紙製容器１の外周帯部１９とが前記のように重なり合っていることから、図７（Ａ）に示すように、前記シール２５の接着面がほぼ全域にわたって該周壁部２２と外周帯部１９とに貼着される。これにより、シール２５の接着面にゴミやほこりが付着して見栄えが悪化したり、該シール２５の剥がれを引き起こしたりすることを抑制できる。
ここで、本実施例の外装部材３を備えない従来構成にあっては、図７（Ｂ）に示すように、容器１０１と蓋体１０５との被着状態で、該容器１０１のテーパ状の側壁部１０２と該蓋体１０５の周壁部１０７との間に比較的大きな隙間が生ずる。そして、前記シール２５が周壁部１０７と側壁部１０２とにわたって貼着された場合に、該シール２５の接着面に、該周壁部１０７と側壁部１０２とのいずれにも接着されない露出領域が比較的大きく生ずる。そのため、シール２５の接着面にゴミやほこりが付着し易く、見栄えが悪化するという問題や、該シール２５の剥がれを引き起こすという問題が生ずる。
【実施例２】
【００３１】
実施例２の紙製容器３１は、図８（Ａ）に示すように、前述の実施例１に比して深底の容器本体３２と、該容器本体３２の上部に取り付けられた外装部材３３とを備える。容器本体３２は、図示しない円板形の底板部と、該底板部の外周縁から斜め外方に立設されたテーパ状の側壁部４２とを備え、該底板部よりも拡口された上部開口４４を有する。
【００３２】
前記容器本体３２に取り付けられる外装部材３３は、図８に示すように、略円筒状の外周帯部４９と、該外周帯部４９の上縁に周方向に所定間隔をおいて連成された複数の取付部４６とを有する。この外装部材３３は、図８（Ｂ）に示す紙片３３ａにより形成される。紙片３３ａは、横長帯状の帯片部４９ａと、該帯片部４９ａの上辺に所定間隔をおいて連成された複数の取付部４６とを備えたものであり、帯片部４９ａの一方の短辺に設けられた凸部４９ｂを他方の短辺に設けられた凹部４９ｃに差し込むことによって円筒状に組み立てられて、外装部材３３を形成する。そして、各取付部４６が内側に夫々折り返される。実施例２の外装部材３３は、外周帯部４９の縦長は、前記側壁部４２の縦長よりも十分に短い寸法に設定されていると共に、外周帯部４９の下縁には、円弧が周方向に連なった形状に形成されており、美観に優れた装飾性を有する。
【００３３】
こうした容器本体３２と外装部材３３とは、該外装部材３３の各取付部４６と外周帯部４９との間に側壁部４２の上端縁が挿入させて、各取付部４６と側壁部４２とが接着されることによって一体化される。これにより、実施例２の紙製容器３１が形成される。この紙製容器３１では、外装部材３３の外周帯部４９が略鉛直方向に沿って配設されており、該外周帯部４９と側壁部４２との間に隙間が形成される。
【００３４】
実施例２の紙製容器ユニット３７は、図９に示すように、前述の紙製容器３１と紙製蓋体５とから構成される。ここで、紙製蓋体５は、前述した実施例１と同様の構成であり、周壁部２２が該紙製容器３１の外周帯部４９に外嵌されることによって、紙製容器３１に被着される。そして、この被着状態で、紙製蓋体５の周壁部２２の内周面が紙製容器３１の外周帯部４９の外周面に当接して、該周壁部２２と外周帯部４９とが重なり合う。
【００３５】
実施例２の紙製容器ユニット３７は、前記被着状態で、該紙製容器３１の外周帯部４９と該紙製蓋体５の周壁部２２とに亘ってシール２５が貼着される。これにより、紙製蓋体５と紙製容器３１とが前記被着状態で保持され得る。
【００３６】
実施例２の紙製容器３１は、容器本体３２の側壁部４２と外装部材３３の外周帯部４９との間に隙間が形成されていることから、前述した実施例１の構成と同様の作用効果を奏する。また、実施例２の紙製容器ユニット３７は、被着状態で紙製蓋体５の周壁部２２と紙製容器３１の外周帯部４９とが重なり合うことから、前述した実施例１の構成と同様の作用効果を奏する。
【実施例３】
【００３７】
実施例３の紙製容器ユニット５７は、図１０〜１２に示すように、紙製容器５１と紙製蓋体５５とを有するものである。紙製容器５１は、円板状の底板部６１と、該底板部６１の外周縁から略鉛直上方へ立設された側壁部６２とを備え、上部開口６４を有する。尚、実施例３の紙製容器５１は、側壁部６２の上端から底板部６１までの深さが比較的浅いものである。
【００３８】
前記紙製蓋体５５は、截頭円錐形の蓋本体６６と該蓋本体６６の下部に一体的に取り付けられた外装部材６７とから構成されている。蓋本体６６は、円板状の天板部７１と、該天板部７１の外周縁から斜め外方に垂設されたテーパ状の周壁部７２とを備える。外装部材６７は、前記周壁部７２の下端周縁に取り付けられる円環状の取付部７６と、該取付部７６から略鉛直上方へ延出された円筒状の外周帯部７９とから構成されている。この外装部材６７は、前述した実施例１の外装部材３と上下逆向きの構成であり、横長帯状の紙片により組み立てられる。そして、前記取付部７６は、内側に湾曲状に折り返された折返周部７７と該折返周部７７に連成されて外側で対向する連成周部７８とによって構成される。尚、外周帯部７９の縦幅は、前記した容器本体２の側壁部１２の高さ寸法よりも長い寸法に設定されている。
【００３９】
こうした蓋本体６６と外装部材６７とは、図１２に示すように、前記取付部７６の折返周部７７と連成周部７８との間に、前記周壁部７２の下端が嵌入されて、該周壁部７２と取付部７６とが所定の接着剤により接着されることで一体化される。これにより、本実施例３の紙製蓋体５５が形成される。
【００４０】
前記した紙製蓋体５５は、外装部材６７の外周帯部７９が、前記紙製容器５１の側壁部６２に内嵌されることによって、該紙製容器５１に被着されて上部開口６４を閉鎖する。ここで、外装部材６７の外周帯部７９は、前記紙製容器１の側壁部６２と略平行に形成されると共に、該側壁部６２に内嵌された状態で、外周帯部７９の外周面と外側壁部６２の内周面とが面接触するように、該外周帯部７９の外径が設定されている。これにより、紙製蓋体５５を紙製容器５１に被着した状態で、前記外周帯部７９の外周面が前記側壁部６２の内周面に当接されて、該外周帯部７９と側壁部６２とが重なり合う。また、前記被着状態で、外周帯部７９の上部が側壁部６２に覆われない（嵌合されない）ように、該外周帯部７９と周壁部２２との上下方向の寸法が夫々設定されている。
【００４１】
実施例３の紙製容器ユニット５７は、紙製容器５１と紙製蓋体５５との前記被着状態で、該紙製容器５１の側壁部６２と該紙製蓋体５５の外周帯部７９とに亘ってシール２５が貼着される。これにより、紙製蓋体５５と紙製容器５１とが前記被着状態で保持され得る。
【００４２】
実施例３の紙製蓋体５５は、図１２に示すように、テーパ状の周壁部７２と外装部材６７の外周帯部７９との間に隙間が形成されたものであることから、紙製容器５１との被着状態から取り外す際に、該外周帯部７９の上端を人が指で摘まむことによって比較的容易に持ち上げることができる。これにより、紙製容器５１から紙製蓋体５５を取り外す際に、誤って転倒させてしまうことを抑制できる。
【００４３】
また、実施例３の紙製容器ユニット５７は、前記被着状態で紙製蓋体５５の外周帯部７９と紙製容器５１の側壁部６２とが重なり合っていることから、前記シール２５の接着面がほぼ全域にわたって該側壁部６２と外周帯部７９とに接着される。これにより、シール２５の接着面にゴミやほこりが付着して見栄えが悪化したり、該シール２５の剥がれを引き起こしたりすることを抑制できる。
【００４４】
前述した実施例１〜３の構成は、紙製容器の側壁部の露出部位に、適宜装飾を付すことができ、優れた装飾性を有する見栄えの良いものとすることができる。さらに、外装部材の外周帯部の外周面や紙製蓋体の周壁部の外周面に、適宜装飾を付すことも可能である。
【００４５】
また、実施例１〜３は、紙製容器の側壁部が断面略円形状の構成であるが、これに限らず、該側壁部を断面多角形の構成とすることもできる。すなわち、実施例１，２にあって、多角形状の底板部と該底板部から立設された側壁部とを備えた逆截頭多角錐形の紙製容器としても良い。また、実施例３にあって、多角形の底板部と多角筒形の側壁部とを備えた紙製容器とできる。尚、こうした紙製容器の場合には、紙製蓋体についても、該紙製容器と同様に断面多角形の周壁部を備えた構成が適用される。
【符号の説明】
【００４６】
１，３１，５１  紙製容器
２，３２，５２  容器本体
３，３３，６７  外装部材
５，５５  紙製蓋体
７，３７，５７  紙製容器ユニット
１１，６１  底板部
１２，４２，６２  側壁部
１４，４４，６４  上部開口
１６，４６，７６  取付部
１７，７７  折返周部
１８，７８  連成周部
１９，４９，７９  外周帯部
２２，７２  周壁部
６６  蓋本体
【図１】
0003232966.tif 000003
【図２】
0003232966.tif 000004
【図３】
0003232966.tif 000005
【図４】
0003232966.tif 000006
【図５】
0003232966.tif 000007
【図６】
0003232966.tif 000008
【図７】
0003232966.tif 000009
【図８】
0003232966.tif 000010
【図９】
0003232966.tif 000011
【図１０】
0003232966.tif 000012
【図１１】
0003232966.tif 000013
【図１２】
0003232966.tif 000014